(57)【要約】【課題】  ３つの出力端子を有していながら、通過損失を低く抑えることができ、より高いレベルでテレビに電波を供給することができるテレビ端子及び直列ユニットを提供する。【解決手段】  第１〜第３の壁面出力端子４〜６を有し、入力信号が、まず分波器３によってＢＳ・ＣＳ放送信号とＶＨＦ・ＵＨＦ放送信号（又はＣＡＴＶ信号）とに分波され、ＢＳ・ＣＳ放送信号は第１の壁面出力端子４から出力され、ＶＨＦ・ＵＨＦ放送信号（又はＣＡＴＶ信号）は２分配器７によって分配されて第２の壁面出力端子５及び第３の壁面出力端子６からそれぞれ出力されるように構成した。【選択図】  図１
2006339744.tif 000002
【特許請求の範囲】
【請求項１】
３つの壁面出力端子を有し、入力信号が、まず分波器によって分波され、一方の信号が第１の壁面出力端子から出力され、他方の信号が分配器によって分配されて第２の壁面出力端子及び第３の壁面出力端子からそれぞれ出力されるように構成されていることを特徴とするテレビ端子。
【請求項２】
前記第１の壁面出力端子からはＢＳ・ＣＳ放送信号が出力され、前記第２の壁面出力端子、及び、第３の壁面出力端子からは、ＶＨＦ・ＵＨＦ放送信号又はＣＡＴＶ信号が出力されるように構成したことを特徴とする、請求項１に記載のテレビ端子。
【請求項３】
前記第１の壁面出力端子からはＶＨＦ・ＵＨＦ放送信号又はＣＡＴＶ信号が出力され、前記第２の壁面出力端子、及び、第３の壁面出力端子からは、ＢＳ・ＣＳ放送信号が出力されるように構成したことを特徴とする、請求項１に記載のテレビ端子。
【請求項４】
３つの壁面出力端子を有し、入力信号が、まず分波器によって分波され、一方の信号が第１の壁面出力端子から出力され、他方の信号が分配器によって分配されて第２の壁面出力端子及び第３の壁面出力端子からそれぞれ出力されるように構成されていることを特徴とする直列ユニット。
【請求項５】
前記第１の壁面出力端子からはＢＳ・ＣＳ放送信号が出力され、前記第２の壁面出力端子、及び、第３の壁面出力端子からは、ＶＨＦ・ＵＨＦ放送信号又はＣＡＴＶ信号が出力されるように構成したことを特徴とする、請求項４に記載の直列ユニット。
【請求項６】
前記第１の壁面出力端子からはＶＨＦ・ＵＨＦ放送信号又はＣＡＴＶ信号が出力され、前記第２の壁面出力端子、及び、第３の壁面出力端子からは、ＢＳ・ＣＳ放送信号が出力されるように構成したことを特徴とする、請求項４に記載の直列ユニット。
【発明の詳細な説明】
【技術分野】
【０００１】
本発明は、室内の壁面等に設置されるテレビ端子、及び、直列ユニットに関し、特に、少なくとも３つの出力端子を有するテレビ端子、及び、直列ユニットに関する。
【背景技術】
【０００２】
テレビ受像機へ受信信号を供給するテレビ端子や直列ユニットにおける出力端子の数は、従来は通常の場合一つで十分であったが、現在では、従来からのテレビ放送（ＶＨＦ、ＵＨＦ、ＢＳ、ＣＳ）に加えて地上デジタル放送が開始されたことや、ＣＡＴＶの普及、或いは、大容量ハードディスクレコーダー等の多種多様な周辺機器の普及に伴い、一般の住宅においても、出力端子の複数化が望まれるようになってきた。
【０００３】
このため最近では、複数（３つ）の出力端子を有し、端子毎に異なる種類の放送信号が個別に出力されるように構成されたテレビ端子や直列ユニットが開発されている（例えば、特開２００２−３００４２１号公報に記載されている「直列ユニット」等）。
【特許文献１】特開２００２−３００４２１号公報
【発明の開示】
【発明が解決しようとする課題】
【０００４】
特開２００２−３００４２１号公報に掲載されている直列ユニットは、入力された受信信号が分配回路によって２分配或いは３分配されて、各出力端子から出力されるように構成されているため、分配によるロス（通過損失）が生じ、十分な出力レベルを得られない場合がある。この場合、ユーザーにおいて別途ブースターを購入して、テレビと直列ユニットとの間に設置する必要が生じる、という問題がある。
【０００５】
本発明は、このような従来技術における問題を解決すべくなされたものであって、３つの出力端子を有していながら、通過損失を低く抑えることができ、より高いレベルでテレビに電波を供給することができるテレビ端子及び直列ユニットを提供することを目的とする。
【課題を解決するための手段】
【０００６】
本発明の分波器付きテレビ端子及び直列ユニットは、３つの壁面出力端子を有し、入力信号が、まず分波器によって分波され、一方の信号が第１の壁面出力端子から出力され、他方の信号が分配器によって分配されて第２の壁面出力端子及び第３の壁面出力端子からそれぞれ出力されるように構成されていることを特徴としている。
【０００７】
尚、第１の壁面出力端子からはＢＳ・ＣＳ放送信号が出力され、第２の壁面出力端子、及び、第３の壁面出力端子からは、ＶＨＦ・ＵＨＦ放送信号又はＣＡＴＶ信号が入出力されるように構成することが好ましい。
【発明の効果】
【０００８】
本発明の分波器付きテレビ端子、及び、分波器付き直列ユニットは、壁面出力端子が３つ設けられているため、ケーブルを接続する必要があるテレビや周辺機器の入力端子が３つである場合でも、分配器等を間に接続する必要がない。また、分配方式のテレビ端子や直列ユニットと比べて損失が少なく、テレビや周辺機器に対し、より高いレベルで受信信号を供給することができ、ブースター等の接続を行うことなく、受信システムを構成することができる。
【発明を実施するための最良の形態】
【０００９】
以下、添付図面に沿って、本発明の「分波器付き三端子型テレビ端子、及び、直列ユニット」を実施するための最良の形態について説明する。図１は、本発明の第１の実施形態に係るテレビ端子１のブロック図である。この図において２は入力端子、３は分波器、４〜６は第１〜第３の壁面出力端子、７は２分配器である。
【００１０】
このテレビ端子１においては、複数種類のアンテナ（ＶＨＦ用、ＵＨＦ用、ＢＳ用、ＣＳ用等）から混合器及び宅内配線を介して送られてくる各種テレビ放送の受信信号（或いは、ＣＡＴＶ局からＣＡＴＶケーブル網、タップオフ、引込線、保安器、宅内配線を介して送られてくるＣＡＴＶの下り信号）が、入力端子２から入力され、分波器３によって、ＢＳ・ＣＳ放送信号と、ＶＨＦ・ＵＨＦ放送信号（或いは、ＣＡＴＶ信号）とに分波される。
【００１１】
そして、ＢＳ・ＣＳ放送信号は第１の壁面出力端子４から出力され、ＶＨＦ・ＵＨＦ放送信号（或いは、ＣＡＴＶ信号）は、２分配器７によって２分配されて、第２の壁面出力端子５、及び、第３の壁面出力端子６からそれぞれ出力されるようになっている。
【００１２】
従って、例えばハードディスクレコーダーとアナログテレビとからなる視聴システムに、新たにデジタルテレビを追加したような場合において、アナログテレビに接続されているハードディスクレコーダーの２つの入力端子と、第１の壁面出力端子４及び第２の壁面出力端子５とをそれぞれ接続して、ＢＳ・ＣＳ放送信号とＶＨＦ・ＵＨＦ放送信号とがハードディスクレコーダーに対して個別に入力されるように、更に、デジタルテレビの入力端子と、第３の壁面出力端子６とを接続して、地上デジタル放送信号（ＵＨＦ）がデジタルテレビに入力されるような構成を、簡単に（即ち、分配器や分岐器を別途購入して挿入するというような作業を行うことなく）実現することができる。
【００１３】
また、本実施形態の分波器付きテレビ端子１は、従来の３分配器（３つの出力端子を有し、入力信号を分配回路によって３分配して、各出力端子からそれぞれ出力するように構成したテレビ端子）と比べて、通過損失を低く抑えることができる。
【００１４】
表１は、図１の分波器付きテレビ端子１（本発明）、及び、従来の３分配器（比較例）の通過損失（ｄＢ）についての計測結果（周波数帯域毎）の一覧表であり、この計測結果により、「本発明の分波器付き三端子型テレビ端子１は、いずれの帯域においても、従来の３分配器より通過損失を低く抑えることができる」ということが実証された。
【００１５】
【表１】
2006339744.tif 000003
【００１６】
尚、第１の実施形態においては、本発明を「テレビ端子」として構成した例について説明したが、図２に示すように、下位のテレビ端子或いは直列ユニットへ信号を分岐出力するための端子８を有する直列ユニット１１として構成することもできる。
【００１７】
更に、図３に示すように、２分配器７と、第２の壁面出力端子５及び第３の壁面出力端子６との間に、ハイパスフィルタ９，９及び切替スイッチをそれぞれ配置するように構成することもできる。この場合、例えばアナログテレビ、ハードディスクレコーダー、セットトップボックス、ＣＡＴＶ用ケーブルモデムからなる視聴システムにおいて、アナログテレビに接続されているハードディスクレコーダーの入力端子と、第１の壁面出力端子４とを接続して、ＢＳ・ＣＳ放送信号がハードディスクレコーダーに対して入力されるように、また、ハードディスクレコーダー及びアナログテレビに接続されているセットトップボックスと、第２の壁面出力端子５とを接続して、ＣＡＴＶ信号がセットトップボックスに接続又は入出力されるように、更に、ケーブルモデムと、第３の壁面出力端子６とを接続して、ＣＡＴＶの上り信号が、ケーブルモデムから第３の壁面出力端子６に入力されるような構成を簡単に実現することができ、ＢＳ・ＣＳ放送及びＣＡＴＶを好適に視聴することができるほか、ＣＡＴＶの上り流合雑音を好適に防止することができる。
【００１８】
また、ハイパスフィルタ９は、図４に示すように、分波器３と、第１の壁面出力端子４との間に配置することもできる。この場合、例えば第１の壁面出力端子４においてＣＡＴＶ信号（上り信号を含む）が入出力され、第２の壁面出力端子５、及び、第３の壁面出力端子６からＢＳ・ＣＳ放送信号が出力されるような構成を簡単に実現することができ、ＢＳ・ＣＳ放送及びＣＡＴＶを好適に視聴することができるほか、ＣＡＴＶの上り流合雑音を好適に防止することができる。
【００１９】
また、図３及び図４に示したフィルタ付きの直列ユニット２１，３１については、下位のテレビ端子或いは直列ユニットへ信号を分岐出力するための端子を有しない「テレビ端子」として構成することもできる。
【図面の簡単な説明】
【００２０】
【図１】本発明の第１の実施形態に係る分波器付きテレビ端子１のブロック図。
【図２】本発明の第２の実施形態に係る分波器付き直列ユニット１１のブロック図。
【図３】本発明の第３の実施形態に係る分波器付き直列ユニット（フィルタ付き）２１のブロック図。
【図４】本発明の第４の実施形態に係る分波器付き直列ユニット（フィルタ付き）３１のブロック図。
【符号の説明】
【００２１】
１：テレビ端子、
２：入力端子、
３：分波器、
４：第１の壁面出力端子、
５：第２の壁面出力端子、
６：第３の壁面出力端子、
７：２分配器、
８：分岐出力端子、
９：ハイパスフィルタ、
１１，２１，３１：直列ユニット
【図１】
2006339744.tif 000004
【図２】
2006339744.tif 000005
【図３】
2006339744.tif 000006
【図４】
2006339744.tif 000007